【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
画像処理装置で利用される消耗品の在庫を管理するための管理システムであって、
管理対象となり得る画像処理装置のデバイス情報と在庫管理に利用することができる通知の種類とを含むマスタ情報を登録する登録手段と、
画像処理装置を管理対象とする際に、前記マスタ情報に従い、在庫管理に利用すべき通知の種類を設定する設定手段と、
管理対象の画像処理装置で生成される消耗品に関する通知に対応するアラームの種類が、前記設定された在庫管理に利用すべき通知の種類と一致するかを判断する判断手段と、
前記設定された在庫管理に利用すべき通知の種類と一致すると判断されたアラームに従い、消耗品の在庫の管理を行う在庫管理手段と、
前記消耗品の在庫の残りの数に応じた通知を実行する提供手段と、を有し、
前記在庫管理手段は、在庫管理に利用すべき通知の種類が消耗品の前記画像処理装置に対する装着が検出された際に生成される通知であり、かつ、前記アラームが新品の消耗品による交換を示す情報を含まない場合には、当該アラームに従い前記消耗品の在庫の残りの数を減算せず、在庫管理に利用すべき通知の種類が消耗品の前記画像処理装置に対する装着が検出された際に生成される通知であり、かつ、前記アラームが新品の消耗品による交換を示す情報を含む場合に、当該アラームに従い前記消耗品の在庫の残りの数を減算し、
在庫管理に利用すべき通知の種類が前記画像処理装置に装着されている消耗品の消耗度が閾値に達する前の所定のタイミングで生成される新しい消耗品の配送に係る通知であった場合には、前記アラームに従い新しい消耗品の配送が手配されることを特徴とする管理システム。
【請求項２】
前記提供手段は、管理対象の画像処理装置で生成される消耗品に関する通知が、前記設定された在庫管理に利用すべき通知の種類と一致する場合には、消耗品の交換に係る通知であることを示す情報として、当該通知に関する情報提供を実行し、
管理対象の画像処理装置で生成される消耗品に関する通知が、前記設定された在庫管理に利用すべき通知の種類と一致しない場合には、消耗品の交換に係る通知であることを示す情報とは異なる情報として、当該通知に関する情報提供を実行することを特徴とする請求項１に記載の管理システム。
【請求項３】
前記在庫管理手段は、前記設定された在庫管理に利用すべき通知の種類と一致すると判断されたアラームと、当該アラームに含まれるカウンタ情報とを管理し、
さらに、管理している複数のアラームに基づき、画像形成装置における消耗品の交換の履歴と交換に従うカウンタ情報を用いた情報を、ウェブページを用いて提供することを特徴とする請求項１また２に記載の管理システム。
【請求項４】
前記消耗品は、画像処理装置での処理に応じて消耗する記録剤を供給するための記録剤供給器であることを特徴とする請求項１乃至３のいずれか１項に記載の管理システム。
【請求項５】
前記記録剤供給器には、画像処理装置に記録剤を供給するためのトナーボトル、トナーカートリッジ、及びインクボトルの少なくとも何れかが含まれることを特徴とする請求項４に記載の管理システム。
【請求項６】
前記在庫管理手段は、さらに、在庫管理に利用すべき通知の種類が、前記画像処理装置に装着されている消耗品の消耗度が前記閾値に達したことに応じて生成される前記記録剤供給器に含まれる記録剤の残りが少ないことを示す通知であった場合には、前記アラームに従い前記消耗品の在庫の残りの数を減算することを特徴とする請求項４または５に記載の管理システム。
【請求項７】
前記消耗品は、画像処理装置での処理に応じて消耗する消耗部品であることを特徴とする請求項１乃至３のいずれか１項に記載の管理システム。
【請求項８】
画像処理装置で利用される消耗品の在庫を管理するための管理システムにおける管理方法であって、
管理対象となり得る画像処理装置のデバイス情報と在庫管理に利用することができる通知の種類とを含むマスタ情報を登録する登録工程と、
画像処理装置を管理対象とする際に、前記マスタ情報に従い、在庫管理に利用すべき通知の種類を設定する設定工程と、
管理対象の画像処理装置で生成される消耗品に関する通知に対応するアラームの種類が、前記設定された在庫管理に利用すべき通知の種類と一致するかを判断する判断工程と、前記設定された在庫管理に利用すべき通知の種類と一致すると判断されたアラームに従い、消耗品の在庫の管理を行う在庫管理工程と、
前記消耗品の在庫の残りの数に応じた通知を実行する提供工程と、を有し、
前記在庫管理工程では、在庫管理に利用すべき通知の種類が消耗品の装着が検出された際に生成される通知であり、かつ、前記アラームが新品の消耗品による交換を示す情報を含まない場合には、当該アラームに従い前記消耗品の在庫の残りの数が減算されず、在庫管理に利用すべき通知の種類が消耗品の装着が検出された際に生成される通知であり、かつ、前記アラームが新品の消耗品による交換を示す情報を含む場合に、当該アラームに従い前記消耗品の在庫の残りの数が減算され、
在庫管理に利用すべき通知の種類が前記画像処理装置に装着されている消耗品の消耗度が閾値に達する前の所定のタイミングで生成される新しい消耗品の配送に係る通知であった場合には、前記アラームに従い新しい消耗品の配送が手配されることを特徴とする管理方法。
【請求項９】
前記消耗品は、画像処理装置での処理に応じて消耗する記録剤を供給するための記録剤供給器であることを特徴とする請求項８に記載の管理方法。
【請求項１０】
前記記録剤供給器には、画像処理装置に記録剤を供給するためのトナーボトル、トナーカートリッジ、及びインクボトルの少なくとも何れかが含まれることを特徴とする請求項９に記載の管理方法。
【請求項１１】
前記在庫管理工程は、さらに、在庫管理に利用すべき通知の種類が、前記画像処理装置に装着されている消耗品の消耗度が前記閾値に達したことに応じて生成される前記記録剤供給器に含まれる記録剤の残りが少ないことを示す通知であった場合には、前記アラームに従い前記消耗品の在庫の残りの数が減算されることを特徴とする請求項９または１０に記載の管理方法。
【手続補正２】
【補正対象書類名】明細書
【補正対象項目名】００１０
【補正方法】変更
【補正の内容】
【００１０】
本発明の管理システムは、画像処理装置で利用される消耗品の在庫を管理するための管理システムであって、管理対象となり得る画像処理装置のデバイス情報と在庫管理に利用することができる通知の種類とを含むマスタ情報を登録する登録手段と、画像処理装置を管理対象とする際に、前記マスタ情報に従い、在庫管理に利用すべき通知の種類を設定する設定手段と、管理対象の画像処理装置で生成される消耗品に関する通知に対応するアラームの種類が、前記設定された在庫管理に利用すべき通知の種類と一致するかを判断する判断手段と、前記設定された在庫管理に利用すべき通知の種類と一致すると判断されたアラームに従い、消耗品の在庫の管理を行う在庫管理手段と、前記消耗品の在庫の残りの数に応じた通知を実行する提供手段と、を有し、
前記在庫管理手段は、在庫管理に利用すべき通知の種類が消耗品の前記画像処理装置に対する装着が検出された際に生成される通知であり、かつ、前記アラームが新品の消耗品による交換を示す情報を含まない場合には、当該アラームに従い前記消耗品の在庫の残りの数を減算せず、在庫管理に利用すべき通知の種類が消耗品の前記画像処理装置に対する装着が検出された際に生成される通知であり、かつ、前記アラームが新品の消耗品による交換を示す情報を含む場合に、当該アラームに従い前記消耗品の在庫の残りの数を減算し、
在庫管理に利用すべき通知の種類が前記画像処理装置に装着されている消耗品の消耗度が閾値に達する前の所定のタイミングで生成される新しい消耗品の配送に係る通知であった場合には、前記アラームに従い新しい消耗品の配送が手配されることを特徴とする。